(57)【要約】【課題】録画データから所望の場面を再生する際にユーザの利便性を向上できるワンセグ放送受信装置を提供する。【解決手段】ワンセグ放送信号を構成するトランスポートストリームを録画データとして記録すると共に、録画データの記録開始からの経過時間ｔを付与した後にその録画データに対応するトランスポートストリームに含まれる字幕情報を字幕データとして記録する記録モジュール１１０と、ユーザからの指示を受け付けるユーザインターフェースを介して入力された文字列を含む上記字幕情報を上記字幕データから検索し、パーソナルコンピュータ１００の画面上に検索結果を表示する検索モジュール１２０と、ユーザインターフェースを介して上記検索結果の中から上記字幕情報が択一的に選択されると、当該選択された字幕情報に対応する経過時間ｔから該当する録画データの再生を開始する再生モジュール１３０とでパーソナルコンピュータ１００を構成する。【選択図】図２
2009004872.tif 000002
【特許請求の範囲】
【請求項１】
地上デジタルテレビ放送におけるワンセグ放送信号を受信し、パーソナルコンピュータの画面上にワンセグ放送を表示するワンセグ放送受信装置であって、
ワンセグ放送信号を構成するトランスポートストリームを録画データとして記録すると共に、上記録画データの記録開始からの経過時間を付与した後に上記録画データに対応するトランスポートストリームに含まれる字幕情報を字幕データとして記録する記録モジュールと、
ユーザからの指示を受け付けるユーザインターフェースを介して入力された文字列を含む上記字幕情報を上記字幕データから検索し、上記パーソナルコンピュータの画面上に検索結果を表示する検索モジュールと、
上記ユーザインターフェースを介して上記検索結果の中から上記字幕情報が択一的に選択されると、当該選択された字幕情報に対応する上記経過時間から上記録画データの再生を開始する再生モジュールと
を、含むことを特徴とするワンセグ放送受信装置。
【請求項２】
上記記録モジュールは、複数種類の録画データを記録することが可能であると共に、当該複数種類の録画データ毎に上記字幕データを記録し、
上記検索モジュールは、上記字幕データから検索した字幕情報に対応する上記録画データに含まれる識別情報、上記経過時間、及び字幕を検索結果として表示し、
上記再生モジュールは、上記検索結果から選択された上記録画データを上記経過時間から再生することを特徴とする請求項1に記載のワンセグ放送受信装置。
【請求項３】
地上デジタルテレビ放送におけるワンセグ放送信号を受信し、パーソナルコンピュータの画面上にワンセグ放送を表示するワンセグ放送受信方法であって、
記録時には、ワンセグ放送信号を構成するトランスポートストリームを録画データとして記録すると共に、上記録画データの記録開始からの経過時間を付与した後に上記録画データに対応するトランスポートストリームに含まれる字幕情報を字幕データとして記録していき、
検索時には、ユーザからの指示を受け付けるユーザインターフェースを介して入力された文字列を含む上記字幕情報を上記字幕データから検索し、上記パーソナルコンピュータの画面上に検索結果を表示していき、
再生時には、上記ユーザインターフェースを介して上記検索結果の中から上記字幕情報が択一的に選択されると、当該選択された字幕情報に対応する上記経過時間から上記録画データの再生を開始することを特徴とするワンセグ放送受信方法。
【請求項４】
地上デジタルテレビ放送におけるワンセグ放送信号を受信し、パーソナルコンピュータの画面上にワンセグ放送を表示する機能を当該パーソナルコンピュータに実現させるワンセグ放送受信プログラムを記録した媒体であって、
ワンセグ放送信号を構成するトランスポートストリームを録画データとして記録すると共に、上記録画データの記録開始からの経過時間を付与した後に上記録画データに対応するトランスポートストリームに含まれる字幕情報を字幕データとして記録する記録機能と、
ユーザからの指示を受け付けるユーザインターフェースを介して入力された文字列を含む上記字幕情報を上記字幕データから検索し、上記パーソナルコンピュータの画面上に検索結果を表示する検索機能と、
上記ユーザインターフェースを介して上記検索結果の中から上記字幕情報が択一的に選択されると、当該選択された字幕情報に対応する上記経過時間から上記録画データの再生を開始する再生機能とを、パーソナルコンピュータに実現させることを特徴とするワンセグ放送受信プログラムを記録した媒体。 
【発明の詳細な説明】
【技術分野】
【０００１】
本発明は、ワンセグ放送受信装置、ワンセグ放送受信方法、およびワンセグ放送受信プログラムを記録した媒体に関する。
【背景技術】
【０００２】
地上デジタルテレビ放送では、通常の表示に必要な１２セグメントに加えて１セグメントの放送枠を有しており、通常、この１セグメントを利用した映像・音声・データの放送をワンセグ放送と呼んでいる。これら映像・音声・データの各情報は、トランスポートストリーム（ＴＳ：Transport Stream）を使って伝送されている。そして、ワンセグ放送はワンセグチューナを備えた携帯端末やパーソナルコンピュータ等で視聴される。
【０００３】
ところで、上記データ情報の中には映像情報や音声情報に同期して字幕を画面に表示する字幕情報が含まれている。この字幕は映像の進行に合わせて逐次新しい字幕が表示されることから、例えばユーザが字幕で表示された特定の文字情報を記録しておきたい場合は、画面を見ながらその都度書き記すなどの必要があり、ユーザにとって利便性が悪いという問題があった。
【０００４】
このような問題に対して、特許文献１には、ユーザによるリモコン操作に基づき、トランスポートストリームに含まれる字幕情報を解析して字幕テキストを逐次蓄積し、その蓄積した字幕テキストを番組映像や通常の字幕に重ねて一覧表示することで、ユーザは字幕に表示されたテキスト情報をいちいちメモを取ることなくテレビ画面上でいつでも表示閲覧することができ、情報活用におけるユーザの負担を軽減することができる字幕処理装置が開示されている。
【特許文献１】特開２００３−７８８８９号公報
【発明の開示】
【発明が解決しようとする課題】
【０００５】
一方、録画データから観たい場面を探したり観たいセリフ（字幕文字）が使われている場面を探したりして所望の場面を再生する場合には、その録画データを実際に再生して所望の場面を探し出す必要があり、ユーザにとって利便性が悪いという新たな問題が生じる可能性があった。尚、上記特許文献１に記載の技術は、所望の字幕文字を保存してそれらを一覧表示するだけであり、録画データから所望の場面を探し出す際のユーザの利便性を向上できるものではなかった。
【０００６】
本発明は上記課題に鑑みて為されたもので、その目的とするところは、録画データから所望の場面を再生する際に、ユーザの利便性を向上することが可能なワンセグ放送受信装置、ワンセグ放送受信方法、およびワンセグ放送受信プログラムを記録した媒体を提供することにある。
【課題を解決するための手段】
【０００７】
上記目的を達成するための請求項１に記載の発明は、地上デジタルテレビ放送におけるワンセグ放送信号を受信し、パーソナルコンピュータの画面上にワンセグ放送を表示するワンセグ放送受信装置であって、(a) ワンセグ放送信号を構成するトランスポートストリームを録画データとして記録すると共に、上記録画データの記録開始からの経過時間を付与した後に上記録画データに対応するトランスポートストリームに含まれる字幕情報を字幕データとして記録する記録モジュールと、(b) ユーザからの指示を受け付けるユーザインターフェースを介して入力された文字列を含む上記字幕情報を上記字幕データから検索し、上記パーソナルコンピュータの画面上に検索結果を表示する検索モジュールと、(c) 上記ユーザインターフェースを介して上記検索結果の中から上記字幕情報が択一的に選択されると、当該選択された字幕情報に対応する上記経過時間から上記録画データの再生を開始する再生モジュールとを、含む構成としてある。
【０００８】
上記のように構成された本発明のワンセグ放送受信装置において、記録モジュールにより、ワンセグ放送信号を構成するトランスポートストリームが録画データとして記録されると共に、その録画データの記録開始からの経過時間が付与された後にその録画データに対応するトランスポートストリームに含まれる字幕情報が字幕データとして記録されることから、録画データにおける字幕データをその録画データの記録開始からの経過時間と関連づけて例えば記憶装置に保存することができる。また、検索モジュールにより、ユーザからの指示を受け付けるユーザインターフェースを介して入力された文字列を含む上記字幕情報が上記字幕データから検索され、上記パーソナルコンピュータの画面上にその検索結果が表示されることから、ユーザは字幕に表示されていた任意の文字列を用いて録画データにおける所望の場面を検索したりその文字列が使われている場面を検索したりすることができる。さらに、上記ユーザインターフェースを介して上記検索結果の中から上記字幕情報が択一的に選択されると、その選択された字幕情報に対応する上記経過時間から再生モジュールにより上記録画データの再生が開始されることから、ユーザは上記任意の文字列を含んだ所望の場面から録画データを再生することができる。
【０００９】
ここで、トランスポートストリームに含まれる字幕情報には映像情報や音声情報と同期を取るための時刻情報が元々含まれており、その時刻情報を用いて録画データを再生することも考えられるが、時刻情報を用いた場合には録画データから該当する時刻情報をサーチする必要があり録画データの再生処理が少なくとのそのサーチ分だけ遅延する可能性がある。そこで、ワンセグ放送においてはビットレートが固定されている（最大412kbps）ことを利用して、本発明では、録画データの記録開始からの経過時間を用いることで、録画データの再生に際してピンポイントで再生開始場所を指定するのである。
【００１０】
また、好適には、上記記録モジュールは、複数種類の録画データを記録することが可能であると共に、当該複数種類の録画データ毎に上記字幕データを記録する構成としても良い。また、上記検索モジュールは、上記字幕データから検索した字幕情報に対応する上記録画データに含まれる識別情報、上記経過時間、及び字幕を検索結果として表示する構成としても良い。また、上記再生モジュールは、上記検索結果から選択された上記録画データを上記経過時間から再生する構成としても良い。このように構成されることで、複数種類の録画データ毎に、各録画データにおける字幕データをそれぞれの録画データの記録開始からの経過時間と関連づけて例えば記憶装置に保存することができる。また、ユーザは、字幕に表示されていた任意の文字列を用いて複数種類の録画データの中から所望の場面を検索したりその文字列が使われている場面を検索したりすることができる。さらに、ユーザは、該当する録画データにおいて上記任意の文字列を含んだ所望の場面からの再生が行える。
【００１１】
さらに、好適には、上記ワンセグ放送受信装置における処理方法として作用する構成としても良いし、プログラムとしてパーソナルコンピュータに同様の機能を実現させる構成としても良い。
【００１２】
このように、トランスポートストリームに含まれる字幕情報と録画データの記録開始からの経過時間とからなるデータベースを作成し、そのデータベースからの検索と検索結果を表示するユーザインターフェースを備えて任意の文字列を含む字幕を一覧表示し、録画データの再生とも連動させて、検索結果の一覧から選択されることで該当場面からの再生を開始する手法は、必ずしも実体のある装置に限られる必要はなく、その方法としても機能することは容易に理解できる。このため、請求項１にかかる発明と併記して、かかるワンセグ放送受信方法としての発明を開示している。すなわち、必ずしも実体のある装置に限らず、その方法としても有効であることに相違はない。
【００１３】
ところで、このようなワンセグ放送受信装置は単独で存在する場合もあるし、ある機器に組み込まれた状態で利用されることもあるなど、発明の思想としてはこれに限らず、各種の態様を含むものである。従って、ソフトウェアであったりハードウェアであったりするなど、適宜、変更可能である。
【００１４】
発明の思想の具現化例としてワンセグ放送受信装置のソフトウェアとなる場合には、かかるソフトウェアを記録した記録媒体上においても当然に存在し、利用されるといわざるをえない。その一例として、請求項１にかかる発明と併記して、かかるワンセグ放送受信プログラムを記録した媒体としての発明を開示している。
【００１５】
むろん、その記録媒体は、磁気記録媒体であってもよいし光磁気記録媒体であってもよいし、今後開発されるいかなる記録媒体においても全く同様に考えることができる。また、一次複製品、二次複製品などの複製段階については全く問う余地無く同等である。その他、供給方法として通信回線を利用して行なう場合でも本発明が利用されていることにはかわりない。
【００１６】
さらに、一部がソフトウェアであって、一部がハードウェアで実現されている場合においても発明の思想において全く異なるものではなく、一部を記録媒体上に記憶しておいて必要に応じて適宜読み込まれるような形態のものとしてあってもよい。
【００１７】
本発明をソフトウェアで実現する場合、ハードウェアやオペレーティングシステムを利用する構成とすることも可能であるし、これらと切り離して実現することもできる。例えば、各種の演算処理といっても、その実現方法はオペレーティングシステムにおける所定の関数を呼び出して処理することも可能であれば、このような関数を呼び出すことなくハードウェアから入力することも可能である。そして、実際にはオペレーティングシステムの介在のもとで実現するとしても、プログラムが媒体に記録されて流通される過程においては、このプログラムだけで本発明を実施できるものと理解することができる。
【００１８】
また、本発明をソフトウェアで実施する場合、発明がプログラムを記録した媒体として実現されるのみならず、本発明がプログラム自体として実現されるのは当然であり、プログラム自体も本発明に含まれる。
【発明の効果】
【００１９】
以上説明したように、請求項１に記載の発明によれば、録画データにおける字幕データをその録画データの記録開始からの経過時間と関連づけて例えば記憶装置に保存することができ、またユーザは字幕に表示されていた任意の文字列を用いて録画データにおける所望の場面を検索したりその文字列が使われている場面を検索したりすることができ、さらにユーザは上記任意の文字列を含んだ所望の場面から録画データを再生することができるので、録画データから所望の場面を再生する際に、ユーザの利便性を向上することが可能なワンセグ放送受信装置を提供することができる。
【００２０】
また、本発明によれば、録画データの記録開始からの経過時間を用いることで、録画データの再生に際してピンポイントで再生開始場所を指定することができるので、映像情報や音声情報と同期を取るための時刻情報を用いた場合に比較して速やかに録画データの再生処理を実行することができる。
【００２１】
また、本発明のよれば、複数種類の録画データ毎に、各録画データにおける字幕データをそれぞれの録画データの記録開始からの経過時間と関連づけて例えば記憶装置に保存することができ、またユーザは字幕に表示されていた任意の文字列を用いて複数種類の録画データの中から所望の場面を検索したりその文字列が使われている場面を検索したりすることができ、さらにユーザは該当する録画データにおいて上記任意の文字列を含んだ所望の場面からの再生が行えるので、複数種類の録画データから所望の場面を再生する際に、ユーザの利便性を向上することができる。
【００２２】
また、本発明によれば、上記同様の効果を奏するワンセグ放送受信方法やワンセグ放送受信プログラムを記録した媒体を提供することができる。
【発明を実施するための最良の形態】
【００２３】
以下、図面にもとづいて本発明の実施形態を説明する。
【００２４】
図１は、本発明の一実施形態にかかるワンセグ放送受信装置を示す概略図である。図1において、ワンセグ放送受信装置Ａはパーソナルコンピュータにて構成され、本パーソナルコンピュータは内蔵または外付けのワンセグチューナＢなどにより地上デジタルテレビ放送におけるワンセグ放送信号を受信し、パーソナルコンピュータ内蔵（一体）または外付けディスプレイの画面Ｃ上にワンセグ放送を表示可能となっている。
【００２５】
例えば、ワンセグチューナＢやパーソナルコンピュータ内部のソフトウェアによる制御エンジンＥなどにより、アンテナＤからワンセグチューナＢに入力されたワンセグ放送信号はトランスポートストリームに変換され、そのトランスポートストリームから映像信号、音声信号、字幕文字Ｆなどが得られ、互いに同期した映像Ｇおよび音声が再生され、映像Ｇおよび音声に同期した字幕文字Ｈが画面Ｃ上に表示される。かかる処理は公知の各種の手法を採用可能である。
【００２６】
画面Ｃ上には、映像Ｇや字幕文字Ｈの他に、マウスＩ等の操作に基づいてユーザからの指示を受け付ける為のチャンネル切換ボタンＪ、録画／停止ボタンＫ、字幕オンオフボタンＬが表示されている。また、現在の状況を示すウィンドウＭ、チャンネル一覧や録画ファイル（録画データ）の一覧を表示したり字幕文字を検索したりその検索結果の一覧を表示したり録画予約を行う為のサブウィンドウＮも表示されている。
【００２７】
尚、本発明の実施形態を通して、かかる構成において実施される方法がワンセグ放送受信方法であり、かかる方法を実現するためのプログラムがワンセグ放送受信プログラムに相当し、そのワンセグ放送受信プログラムを記録した媒体が必要となる。
【００２８】
図２は、ワンセグ放送受信装置Ａの構成を示す概略ブロック図である。図2において、デジタルデータ受信回路１０は、ワンセグ放送信号を受信してＴＳパケットからなるトランスポートストリームに変換する。デジタルデータ受信回路１０は、デジタル放送のチューナ部分、特にワンセグ放送の受信回路が相当し、ワンセグ放送として動画、音声、字幕などデジタルコンテンツがトランスポートストリームとして送信され、これを受信する各種の態様を含んでいる。本装置全体としては、パーソナルコンピュータ１００にて実現されている。
【００２９】
受信されたトランスポートストリームはデマックス（ＤＥＭＵＸ：DeMultiplex）回路２０に出力されている。図３に示すように、トランスポートストリームは１８８バイトからなるＴＳパケットの連なりであり、各ＴＳパケットには、ＴＳヘッダとペイロード（データ本体）とが含まれている。ＴＳヘッダには各種の情報が含まれているが、ペイロードに含まれるデータの情報を含めてＰＥＳ（Packetized Elementary Stream）パケットを生成するための各種の情報が保存されている。従って、デマックス回路２０は図３に示すようにＴＳパケットに含まれるＴＳヘッダを解析し、それぞれの種類ごとのＰＥＳパケットに分離する。
【００３０】
図３に簡易的に示した例では、先頭の二つのＴＳパケットには一つの映像ＰＥＳを構成することになる二つのビデオデータが書き込まれており、次の二つのＴＳパケットには一つの音声ＰＥＳを構成することになる二つのオーディオデータが書き込まれており、最後の一つのＴＳパケットは独立ＰＥＳを構成することになる字幕情報等を含んだ一つのデータが書き込まれている。映像ＰＥＳと音声ＰＥＳについては二つのＴＳパケットによって構成されるものであり、ＴＳヘッダにはその対応関係を示すデータが書き込まれている。尚、あくまでも簡略的に示しているにすぎず、実際に一つのＰＥＳパケットを構成するＴＳパケットの数はこの限りではない。
【００３１】
ＭＰＥＧ規格に基づく動画のデジタルコンテンツであれば映像ＰＥＳと音声ＰＥＳが含まれると共に、データ放送として番組の映像に文字等を重ねて（或いは別に）表示する為の字幕情報等のデータの独立ＰＥＳも含まれる。デマックス回路２０はＴＳパケットをデマックスして映像ＰＥＳ、音声ＰＥＳ、および独立ＰＥＳを抽出する。本実施例では動画の映像と音声を再生することに加え特に字幕表示に対応するものであり、ＰＥＳパケットは映像ＰＥＳとして映像デコーダ３１に入力されて映像信号に変換されるとともに音声ＰＥＳとして音声デコーダ３２に入力されて音声信号に変換されることに加え、独立ＰＥＳとしてデータストリーム処理部３３に入力されて字幕信号に変換される。尚、映像ＰＥＳと音声ＰＥＳとは同期情報も含み、この同期情報に基づいて映像デコーダ３１と音声デコーダ３２とが同期をとりつつ再生を行っている。また、独立ＰＥＳは字幕情報に加えて字幕表示と映像音声との同期をとるための時刻情報を含んでおり、映像や音声との精密な同期表示が可能である。これら同期の取り方は公知の手法を採用可能であり、映像デコーダ３１と音声デコーダ３２とデータストリーム処理部３３とが自立して同期をとってもよいし、外部のコントローラの制御に基づいて同期をとる方式としても良い。
【００３２】
制御回路４０は、内部にＣＰＵやＲＯＭ、ＲＡＭなどを含んでおり、例えばユーザインターフェースを介して入力されたキーボード５０操作やマウス６０操作によるユーザからの各種指示を受け付け、そのユーザからの各種指示に基づいてデジタルデータ受信回路１０やデマックス回路２０やデータストリーム処理部３３等のパーソナルコンピュータ１００内の各部に各種指令を出力して各種の制御を行う。
【００３３】
ユーザインターフェースは、パーソナルコンピュータ１００がユーザに対して情報を表示する方式やユーザが情報を入力するための方式を定めたものであり、ワンセグ放送の視聴チャンネルを切り換える為のチャンネル切換ボタンＪ、ワンセグ放送の録画を開始或いは終了する為の録画／停止ボタンＫ、字幕を表示するか否かを切り換える為の字幕オンオフボタンＬ、現在の状況を表示する為のウィンドウＭ、チャンネル一覧を表示させるボタンＰや録画ファイル（録画データ）の一覧を表示させるビデオボタンＱや録画予約を実行させるボタンＲや字幕文字を検索する際に文字列を入力する文字列入力ウィンドウＳや字幕文字の検索を開始させる検索ボタンＴや検索結果の一覧Ｕ等を表示する為のサブウィンドウＮとしてディスプレイ７０の画面Ｃ上に表示される。（図５参照）
【００３４】
より具体的には、例えばワンセグ放送の視聴中に録画／停止ボタンＫ上でユーザによりマウス６０がクリックされると、記憶装置８０は制御回路４０からの指令によりトランスポートストリームを録画データとして記録する。同時に、データストリーム処理部３３は制御回路４０からの指令によりその録画データに対応するトランスポートストリームに含まれる字幕情報すなわち独立ＰＥＳに含まれる字幕テキストを抽出し、記憶装置８０は制御回路４０からの指令によりその抽出された字幕テキストに上記録画データの記録開始からの経過時間ｔを付与した後にその字幕テキストを字幕データとして記録する。この記憶装置８０には複数種類の録画データを記録することが可能であり、その複数種類の録画データ毎に上記字幕データが記録されることになる。尚、記憶装置８０としてはハードディスクドライブや、フラッシュメモリ等の半導体メモリなどが用いられる。
【００３５】
図４は、記憶装置８０に記録されるデータベースのイメージを示した図であって、（ａ）は録画データのＴＳファイルであり、（ｂ）は字幕データの字幕ファイルである。図４（ａ）においてＴＳファイルは、録画データに含まれる識別情報ＩＤ例えば番組名により区別される。また、図４（ｂ）において字幕ファイルには、例えば対応する録画データの識別情報ＩＤが含まれ、各経過時間ｔに対応する字幕テキストが保存される。
【００３６】
また、例えばビデオボタンＱ上でユーザによりマウス６０がクリックされると、制御回路４０は録画データの一覧と共に文字列入力ウィンドウＳや検索ボタンＴをサブウィンドウＮに表示させる。そして、ユーザによりキーボード５０から文字列が入力されて検索ボタンＴ上でマウス６０がクリックされると、制御回路４０はその入力された文字列を含む字幕テキストを記憶装置８０に記録されている字幕データから検索し、その検索結果をディスプレイ７０の画面Ｃ上に表示させる。
【００３７】
図５は、上記検索結果の一例である検索結果の一覧ＵをサブウィンドウＮに表示した図である。図５において、検索結果の一覧Ｕには、記憶装置８０に記録されている字幕データから検索した字幕テキストに対応する録画データの識別情報ＩＤとしての番組名、経過時間ｔ、及びその字幕テキストが表示される。
【００３８】
また、例えば上記検索結果の中から所望の字幕テキスト（或いは番組名や経過時間ｔ）上でユーザによりマウス６０がクリックされてその字幕テキストが択一的に選択されると、制御回路４０はその選択された字幕テキストに対応する経過時間ｔから該当する録画データの再生を開始する。すなわち、制御回路４０からの指令により、デマックス回路２０は該当する録画データのトランスポートストリームにおけるＴＳパケットをデマックスして映像ＰＥＳ、音声ＰＥＳ、および独立ＰＥＳを抽出し、映像ＰＥＳ、音声ＰＥＳ、および独立ＰＥＳに基づいて映像デコーダ３１、音声デコーダ３２、およびデータストリーム処理部３３は経過時間ｔから再生を実行する。
【００３９】
ここで、上述したように独立ＰＥＳには字幕情報に加えて字幕表示と映像音声との同期をとるための時刻情報が含まれているが、字幕データの記録や字幕検索時の再生に際してこの時刻情報を用いた場合には録画データから該当する時刻情報をサーチする必要があり録画データの再生処理が少なくとのそのサーチ分だけ遅延する可能性がある。そこで、ワンセグ放送においてはビットレートが固定されている（最大412kbps）ことから、本実施例では、字幕データの記録や字幕検索時の再生に際して録画データの記録開始からの経過時間ｔを用いることで、ピンポイントで録画データの再生開始場所を指定しているのである。
【００４０】
上記構成において、デジタルデータ受信回路１０、デマックス回路２０、データストリーム処理部３３、制御回路４０、および記憶装置８０により、ワンセグ放送信号を構成するトランスポートストリームを録画データとして記録すると共に、その録画データの記録開始からの経過時間ｔを付与した後にその録画データに対応するトランスポートストリームに含まれる字幕情報を字幕データとして記録する記録機能を有する記録モジュール１１０が構成される。また、制御回路４０および記憶装置８０により、ユーザからの指示を受け付けるユーザインターフェースを介して入力された文字列を含む上記字幕情報を上記字幕データから検索し、パーソナルコンピュータ１００の画面上に検索結果を表示する検索機能を有する検索モジュール１２０が構成される。また、デマックス回路２０、映像デコーダ３１、音声デコーダ３２、データストリーム処理部３３、制御回路４０、および記憶装置８０により、上記ユーザインターフェースを介して上記検索結果の中から上記字幕情報が択一的に選択されると、当該選択された字幕情報に対応する経過時間ｔから該当する録画データの再生を開始する再生機能を有する再生モジュール１３０が構成される。
【００４１】
このように構成された本発明のワンセグ放送受信装置Ａ（パーソナルコンピュータ１００）において、複数種類の録画データ毎に、各録画データにおける字幕データをそれぞれの録画データの記録開始からの経過時間ｔと関連づけて記憶装置８０に保存することができる。また、ユーザは、字幕に表示されていた任意の文字列を用いて複数種類の録画データの中から所望の場面を検索したりその文字列が使われている場面を検索したりすることができる。さらに、ユーザは、該当する録画データにおいて上記任意の文字列を含んだ所望の場面からの再生を行うことができる。
【００４２】
以下に、パーソナルコンピュータ１００における録画データからの所望の場面の再生に関する具体的な制御を説明する。図６は、パーソナルコンピュータ１００が有する録画データから所望の場面を再生する為の具体的な制御作動を示したフローチャートであり、所定の周期で繰り返し実行されている。
【００４３】
図６において、先ず、ステップＳ１０では、例えばワンセグ放送の視聴中に録画／停止ボタンＫ上でユーザによりマウス６０がクリックされて番組の録画が要求されたか否かが判断される。このステップＳ１０の判断が肯定される場合はステップＳ２０において、対応するトランスポートストリームが録画データとして記憶装置８０に記録される。同時に、その録画データに対応するトランスポートストリームに含まれる字幕テキストが抽出され、その抽出された字幕テキストに上記録画データの記録開始からの経過時間ｔが付与された後にその字幕テキストが字幕データとして記憶装置８０に記録される。
【００４４】
次いで、ステップＳ３０において、例えばワンセグ放送の録画中に録画／停止ボタンＫ上でユーザによりマウス６０がクリックされて録画の停止が要求されたか否かが判断される。このステップＳ３０の判断が否定される場合は上記ステップＳ２０が繰り返し実行されるが肯定される場合はステップＳ４０において、上記ステップＳ２０における録画・字幕データの記録が終了させられる。これにより、図４に示すようなＴＳファイルおよび字幕ファイルが記憶装置８０に保存される。
【００４５】
上記ステップＳ４０に次いで、或いは上記ステップＳ１０の判断が否定される場合は、ステップＳ５０において、例えばビデオボタンＱ上でユーザによりマウス６０がクリックされて文字列入力ウィンドウＳや検索ボタンＴがサブウィンドウＮに表示させられた状態で、ユーザによりキーボード５０から文字列が入力され且つ検索ボタンＴ上でマウス６０がクリックされて字幕検索が要求されたか否かが判断される。
【００４６】
上記ステップＳ５０の判断が否定される場合は本ルーチンが終了させられるが肯定される場合はステップＳ６０において、入力された文字列を含む字幕テキストが記憶装置８０に記録されている字幕データから検索され、図５に示すようにその検索結果の一覧ＵがサブウィンドウＮに表示させられる。
【００４７】
次いで、ステップＳ７０において、例えば検索結果の一覧Ｕの中から所望の字幕テキスト（或いは番組名や経過時間ｔ）上でユーザによりマウス６０がクリックされてその字幕テキストが択一的に選択されたか否かが判断される。
【００４８】
上記ステップＳ７０の判断が否定される場合は本ルーチンが終了させられるが肯定される場合はステップＳ８０において、その選択された字幕テキストに対応する経過時間ｔから該当する録画データの再生が開始される。
【００４９】
上述のように、本実施例によれば、録画データにおける字幕データをその録画データの記録開始からの経過時間ｔと関連づけて記憶装置８０に保存することができ、またユーザは字幕に表示されていた任意の文字列を用いて録画データにおける所望の場面を検索したりその文字列が使われている場面を検索したりすることができ、さらにユーザは上記任意の文字列を含んだ所望の場面から録画データを再生することができるので、録画データから所望の場面を再生する際に、ユーザの利便性を向上することが可能なワンセグ放送受信装置Ａを提供することができる。また、複数種類の録画データを記憶装置８０に保存することができ、その複数種類の録画データ毎に、各録画データにおける字幕データを記憶装置８０に保存することができ、ユーザは複数種類の録画データの中から所望の場面を検索したりその文字列が使われている場面を検索したりすることができ、さらにユーザは該当する録画データにおいて上記任意の文字列を含んだ所望の場面からの再生が行えるので、複数種類の録画データから所望の場面を再生する際に、ユーザの利便性を向上することができる。
【００５０】
また、本実施例によれば、録画データの記録開始からの経過時間ｔを用いることで、録画データの再生に際してピンポイントで再生開始場所を指定することができるので、映像情報や音声情報と同期を取るための時刻情報を用いた場合に比較して速やかに録画データの再生処理を実行することができる。
【００５１】
また、本実施例によれば、上記同様の効果を奏するワンセグ放送受信方法やワンセグ放送受信プログラムを記録した媒体を提供することができる。
【００５２】
以上、本発明の実施例を図面に基づいて詳細に説明したが、本発明はその他の態様においても適用される。
【００５３】
例えば、前述の実施例では、図６のフローチャートに示すように、録画データおよび字幕データの記憶装置８０への記録（ＴＳファイルおよび字幕ファイルの記憶装置８０への保存）に関わる制御作動（ステップＳ１０〜Ｓ４０）と、字幕検索および該当録画データの再生に関わる制御作動（ステップＳ５０〜Ｓ８０）とを連続した１つの制御作動で説明したが、上記（ステップＳ１０〜Ｓ４０）と（ステップＳ５０〜Ｓ８０）とはそれぞれ独立した制御作動であってよい。つまり、字幕検索は、直前の字幕データに対して実行されることはもちろんであるが、それ以前に既に記憶装置８０に記録されている字幕データに対しても実行されるものである。複数種類の字幕データ（字幕ファイル）が存在する場合には、当然、図６のフローチャートにおいてもステップ５０における字幕検索はその複数種類の字幕データ（字幕ファイル）に対して実行される。
【００５４】
なお、上述したのはあくまでも一実施形態であり、本発明は当業者の知識に基づいて種々の変更、改良を加えた態様で実施することができる。
【図面の簡単な説明】
【００５５】
【図１】本発明の一実施形態にかかるワンセグ放送受信装置を示す概略図である。
【図２】ワンセグ放送受信装置の構成を示す概略ブロック図である。
【図３】トランスポートストリームのＴＳパケットとＰＥＳパケットの対応を示す図である。
【図４】記憶装置に記録されるデータベースのイメージを示した図であって、（ａ）は録画データのＴＳファイルであり、（ｂ）は字幕データの字幕ファイルである。
【図５】検索結果の一例である検索結果の一覧をサブウィンドウに表示した図である。
【図６】パーソナルコンピュータが有する録画データから所望の場面を再生する為の具体的な制御作動を示したフローチャートである。
【符号の説明】
【００５６】
Ａ：ワンセグ放送受信装置
１００：パーソナルコンピュータ
１１０：記録モジュール
１２０：検索モジュール
１３０：再生モジュール 
【図１】
2009004872.tif 000003
【図２】
2009004872.tif 000004
【図３】
2009004872.tif 000005
【図４】
2009004872.tif 000006
【図５】
2009004872.tif 000007
【図６】
2009004872.tif 000008